(57)【要約】【課題】この考案は、各社の情報を、リアルタイムで情報受信者に伝達することを目的としたものである。【解決手段】この考案は、情報受信者のパソコン又は携帯電話などの情報要求の送受信端末と、所有コードと、パケット通信網及び管理サーバ付き情報分類サーバとを組み合わせた情報利用ネットワークと、情報提供者のパソコン又は携帯電話など情報提供送受信端末と、パケット通信網及び管理サーバ付き情報蓄積サーバとを組み合わせた情報提供ネットワークとをインターネットを介して組み合わせたことを特徴とする情報提供及び利用ネットワークシステムにより目的を達成した。【選択図】図１
0003127655.tif 000002
【実用新案登録請求の範囲】
【請求項１】
情報受信者のパソコン又は携帯電話などの情報要求の送受信端末と、所有コードと、パケット通信網及び管理サーバ付き情報分類サーバとを組み合わせた情報利用ネットワークと、情報提供者のパソコン又は携帯電話など情報提供送受信端末と、パケット通信網及び管理サーバ付き情報蓄積サーバとを組み合わせた情報提供ネットワークとをインターネットを介して組み合わせたことを特徴とする情報提供及び利用ネットワークシステム。
【請求項２】
所有コードはカラーコードとしたことを特徴とする請求項１記載の情報提供及び利用ネットワークシステム。
【請求項３】
情報分類サーバは、所有コードに基づき、提供する情報を個別分類したことを特徴とする請求項１記載の情報提供及び利用ネットワークシステム。
【請求項４】
情報蓄積サーバは、情報提供者の情報を蓄積し、新しい入力に伴ってリアルタイムに更新、変更、改訂、取り消しできるようにしたことを特徴とする請求項１記載の情報提供及び利用ネットワークシステム。
【請求項５】
管理サーバは、料金、アクセス数を管理することを特徴とした請求項１記載の情報提供及び利用ネットワークシステム。
【考案の詳細な説明】
【技術分野】
【０００１】
この考案は、所有コードを介してその情報を開示すると共に、情報蓄積サーバに蓄積された情報の更新、変更、改訂、取り消しがリアルタイムにできるようにしたことを目的とする情報提供及び利用ネットワークシステムに関する。
【背景技術】
【０００２】
従来情報蓄積サーバに蓄積された情報をパケット通信網を介してパソコン又は携帯電話などに受信することは普通に行われている。また情報蓄積サーバの情報を簡単に更新、付加、訂正などを携帯電話で操作することも知られている。また図形により、必要な情報を記憶させ、又はこの図形から情報を読み取る技術も知られていた。
【特許文献１】特開２００４−１３７７９
【特許文献２】特開２００２−１５７３５０
【特許文献３】特許第３３３６３１１号
【考案の開示】
【考案が解決しようとする課題】
【０００３】
従来の携帯電話又はパソコンと、サーバとでは、サーバに蓄積された情報を読み取ること及び前記情報をリアルタイムに変更し、直ちにユーザに読み取らせることはできたけれども、そのネットワークにアクセスするには、例えば当該情報提供者へのアクセスコードを知る必要があったので、即時情報を知ることは困難であった。
【０００４】
従来、移動体通信パケット網をデータ収集側に利用して、データ処理（収集、加工、編集、集計、配信）をＡＳＰ（アプリケーション・サービス・プロバイダー）データ処理ホストコンピュータ装置で行ない、そのデータ処理結果をインターネットで利用者側の各種インターネット情報端末装置及びホストコンピュータ装置に最適化した処理結果情報を提供するサービスを共通情報処理アプリケーションでユーザに提供することを特徴とするＡＳＰビジネスモデルが知られていた（引用文献２）。
【０００５】
また、情報提供サーバはパケット通信端末からデータ取得要求を受信し、パケット通信端末が要求する情報を通信ネットワーク上の各種情報提供サイトなどの情報源から取得してパケット通信端末に送信する。そして、１回目の情報の送信後は、パケット通信端末への情報送信を一旦停止し待機状態に入る。一方、情報提供サーバは、通信ネットワーク上の情報源からは常時情報を取得し、情報の更新が確認された場合は、パケット通信端末への情報送信の待機状態を解除して、更新された情報を送信する技術が知られていたが（引用文献１）、何れも情報受信者が任意かつ容易にアクセスすることはできない問題点があった。
【０００６】
従来機械判読できるカラーコードにおいて、データ領域とパリティ領域とを含み、前記データ領域には、情報の内容を色彩又は濃淡が表示されるデータセルが形成され、パリティ領域には、前記データ処理によって表示された色彩又は濃淡が、前記情報の内容に対応して適合に表現されているか否かを判別するためのパリティデータが、色彩又は濃淡で表示される少なくとも１つのパリティセルが形成された機械で判別できるカラーコードに関する発明が知られている（特許文献３）。
【課題を解決するための手段】
【０００７】
この考案は、所有コードをパソコン又は携帯電話に入力することにより、この所有コードを利用してサーバの情報を受信できるようにすると共に、前記所有コードを利用してサーバに蓄積された情報の更新、変更、改訂、取り消しされたものを、リアルタイムで取得できるようにして、前記従来の問題点を解決したのである。
【０００８】
即ちこの考案は、情報受信者のパソコン又は携帯電話などの情報要求の送受信端末と、所有コードと、パケット通信網及び管理サーバ付き情報分類サーバとを組み合わせた情報利用ネットワークと、情報提供者のパソコン又は携帯電話など情報提供送受信端末と、パケット通信網及び管理サーバ付き情報蓄積サーバとを組み合わせた情報提供ネットワークとをインターネットを介して組み合わせたことを特徴とする情報提供及び利用ネットワークシステムであり、所有コードはカラーコードとしたものである。
【０００９】
また、情報分類サーバは、所有コードに基づき、提供する情報を個別分類したものであり、情報蓄積サーバは、情報提供者の情報を蓄積し、新しい入力に伴ってリアルタイムに更新、変更、改訂、取り消しできるようにしたものであり、管理サーバは、料金、アクセス数を管理するものである。
【００１０】
前記発明において、所有コード（例えばバーコード、図形コード、カラーコードなどがあるが、以下「カラーコード」という）を、名刺、自社ビル、Ｔシャツ、看板、新聞又は商品に付けておけば、前記カラーコードへ携帯をかざすのみで、そのコードによりサーバと繋がり、前記情報を読み取ることができる。
【００１１】
またカラーコードの所有者は、随時サーバの情報を改訂、変更、消去させることができるので、常時リアルタイム情報の随時蓄積を期待することができる。
【００１２】
前記考案の管理サーバは、前記受信者暗誦番号をロックし、又は解除することにより、使用者（受信者）を制御することができる。例えば、Ａが利用料金不払いの時には、Ａの暗誦番号をロックしてサーバから発信しないようにする。そこで１ヶ月の使用料を定め、前払い方式を採用すれば、受信者をコントロールすることができる。
【００１３】
前記のように、カラーコード所有者は、その携帯電話からの送信によって、サーバの文言又は図形、写真などを更新、変更、改訂、取り消しができるので、リアルタイムの情報を常時提供することができる。
【００１４】
例えば東京青果市場において、野菜の価格が決まれば、携帯電話によりその野菜の写真と、価格とを情報蓄積サーバに送信し、前日の価格を改訂すれば、消費者は、カラーコードを利用して当日の情報を受信し、改訂されたばかりの新情報がサーバから送信されることになる。
【００１５】
前記所有コード中のカラーコードは、前記機械判読できるカラーコードをいう。従ってカラーコードを利用すれば、多量の情報を処理することができると共に、色彩、その他濃淡の変化など、多量の情報処理に伴って、暗号化も容易である。このカラーコードを採用することによって、情報提供者の情報を安全かつ確実に伝達することができる。またカラーコードの場合には、照明による誤読がなく、所有コードの使命を確実に果たすことができる。
【００１６】
前記は野菜について説明したが、魚でも肉でも同様であり、衣服の安売り情報なども即時通信（受信）することができる。
【００１７】
前記コードについては、モザイク方式、バーコード方式又はカラーコード方式など、従来使用されているコード方式をそのまま使用することができる。またカラーコード方式を採用すれば、これを付する物（例えば名刺、衣服、ビルの壁、看板、新聞、雑誌その他の商品）がカラフルになり、目立つと共に、一般にやさしい感覚を与えて好ましいことが多い。
【考案の効果】
【００１８】
この考案によれば、携帯電話を所有コードにかざせば、直ちに情報を収集することができる効果がある。また情報提供者がリアルタイムで情報の更改を行うことにより、情報を求める者にリアルタイムで届けることができる効果がある。通常新聞又はチラシなどの情報は１日以上前の情報になるが、この考案によれば、情報提供者が現場（例えば市場）に到着後、直ちに写真をとり、音声と、文章を前日のものと更改すれば、当日の情報をそのまま伝達することができる。前記所有コードを予め携帯電話に蓄積しておけば（例えば野菜はＡ、肉はＢ、衣服はＣなどのように）夫々の所有コードに切り替えて当日の情報を容易に入手することができる効果がある。
【考案を実施するための最良の形態】
【００１９】
この考案は、携帯電話と、所有コード、パケット通信網及び情報分類サーバを組み合わせることによって情報利用ネットワークを完成し、所定の情報を得ることができる。
【００２０】
また携帯電話、パケット通信網及び情報蓄積サーバを組み合わせることによって、情報提供ネットワークとし、登録された情報をリアルタイムで更改することができる。従って前記両ネットワークにインターネットを組み合わせることにより、市場その他の情報をリアルタイムに更改し、これをリアルタイムに入手して対処することができる。
【００２１】
この考案の機能をまとめると、次のようになる。
【００２２】
（１）携帯電話等の送受信端末を用いるコンテンツマネジメントシステムである。
【００２３】
（２）送受信端末により動画像のアップロード、管理、訂正、変更が容易にできる。
【００２４】
（３）送受信端末により顧客情報の作成、蓄積、管理、編集、削除、変更、訂正などが容易にできる。
【００２５】
（４）送受信端末により代理店、取次店、管理者の作成、編集、削除、変更などが容易にできる。
【００２６】
（５）ＩＤ、電話、アカウントで簡易に顧客情報の検索ができる。
【００２７】
（６）個別ＩＤに関するアクセスのログの収集、分析、管理ができる。
【００２８】
次にこの発明は、従来知られている情報ネットワークに対し、下記のような優位性がある。
【００２９】
（１）３キャリア対応ができる。
【００３０】
（２）キャリアや機種の自動認識と配信方法を自動化できるので、特別の操作が不用になる。
【００３１】
（３）動画像等の滑らかな動きと綺麗な画質を提供することができる。
【００３２】
（４）動画配信を長時間に亘って実施することができると共に、受信料は使用時間に比例しない（一定期間における使用料は一定）。
【００３３】
（５）情報の訂正、変更がリアルタイムにできる為に、様々なニーズに即応することができて、魅力的なＰＲが可能である。
【００３４】
（６）ブログ機能の搭載により双方向での情報発信が可能である。
【００３５】
（７）携帯利用ができるので、携帯ホームページのリンクが可能となった。
【００３６】
（８）携帯からの発信により蓄積する情報をリアルタイムで変更、訂正、編集ができるので、ユーザはリアルタイムの情報を常時共有することができる。
【００３７】
（９）情報提供の為の労力、時間、価格が著しく少ないので、リーズナブルな価格設定ができるので、情報提供者の宣伝広告費を著しく低減（節約）することができる。
【００３８】
（１０）長時間（例えば１ヶ月）受信にリーズナブル価格で情報受信できるので、情報受信者は価格を心配することなく、長時間受信できる。従って情報受信費用が格段に低減できる。
【実施例１】
【００３９】
この考案の実施例を図１について説明すると、所有コード１は、名刺２、Ｔシャツ３、ビル４、新聞（広告）５及び缶６等へ付着させてある。また所有コード１ａ、１ｂ、１ｃ、１ｄ・・・は、Ａ社、Ｂ社、Ｃ社、Ｄ社・・・・の情報を開示するキーである。そこで情報受信者が前記コード１ａに携帯電話７をかざせば、パケット通信網８、情報分類サーバ９を経てＡ社の情報が携帯電話７にダウンロードされる。このようにして情報受信者は、Ｂ社、Ｃ社その他の情報をリアルタイムで得ることができる。
【００４０】
また情報提供者Ａ社、Ｂ社、Ｃ社携帯電話７Ａ、７Ｂ、７Ｃ、７Ｄにおいて、提供すべき情報を構成した後、これをパケット通信網１０を介し、情報蓄積サーバ１１に送信すれば、情報蓄積サーバ１１の登録情報は、新情報と更新される。
【００４１】
即ち情報提供者は、送信すべき情報（写真、文言、その他）を構成し、パケット通信網１０を介して、情報蓄積サーバ１１の情報を更新させることができる。そこで情報受信者のアクセスがあれば、インターネット１２を介し前記蓄積された情報が即時送信される。図中１３、１４は管理サーバである。
【００４２】
前記のように情報受信者は、携帯電話７を所有コード１ａ、１ｂ、１ｃ・・・にかざせば、各社の情報が即時に受信される（ダウンロードされる）ので、各社が情報をリアルタイムに更改すれば、利用者は常時最新情報を得ることができる。
【００４３】
然して情報提供者は、名刺、ビル壁、Ｔシャツ、広告記事、容器などへカラーコードを付しておくことにより、情報受信者は何時でも何処でも労せずして最新情報をリアルタイムに得ることができる。
【図面の簡単な説明】
【００４４】
【図１】（ａ）この考案の実施例のブロック図、（ｂ）以下は同じく所有コードの付着場所を示すもので、（ｂ）は名刺、（ｃ）はＴシャツ、（ｄ）は建物、（ｅ）は新聞、（ｆ）は缶（容器）。
【符号の説明】
【００４５】
１  カラーコード
２  名刺
３  Ｔシャツ
４  建物
５  新聞
６  缶
７  携帯電話
８、１０  パケット通信網
９  情報分類サーバ
１１  情報蓄積サーバ
１２  インターネット
【図１】
0003127655.tif 000003